(57)【要約】【課題】万一の場合に加わる水圧を止水部材自体で支持する必要がなく、既設の可撓管をコンパクトかつ短時間に補強することで供用状態のままにすることができる既設可撓管の外面補強構造を提供する。【解決手段】分割設置可能な取付台部材１１を可撓管１を挟んで対向して管路Ｄ，Ｄに溶接で固定設置し、これら取付台部材１１，１１の間に可撓性の止水部材１５を環状に配置して押え部材１６を介して取り付け、止水部材１５の伸びを許容する隙間をあけて外筒部材２０を設ける。既設の可撓管１が破損した場合、止水部材１５の内側に大きな圧力が作用して止水部材１５が変形し、外筒部材２０に接するまで伸ばされるが、外筒部材２０に接するまでの伸びは、許容される伸び変形であり、この変形後は、止水部材１５が外筒部材２０の内周面に密着することで、加圧力が止水部材１５を介して外筒部材２０で規制・支持される。【選択図】図１
2014228071.tif 000002
【特許請求の範囲】
【請求項１】
管路中に接続された可撓管を外面から補強し当該可撓管に損傷が生じても接続状態を維持可能とする既設可撓管の外面補強構造であって、
前記可撓管を挟む管路の外周に相対向させて水密状態で固定され止水部材が取り付けられる環状の取付台部材と、
これら相対向する取付台部材に跨いで取り付けられて前記可撓管の外周を覆う環状の可撓性の止水部材と、
この止水部材を押える押え部材と、
前記止水部材を覆って外周側に設けられ当該止水部材の伸びを許容する隙間を確保するとともに伸び変形後に加わる圧力を支持可能な環状の外筒部材とを備え、
各環状の部材は既設の管路外周に分割設置可能に構成され連結一体化されてなることを特徴とする既設可撓管の外面補強構造。
【請求項２】
前記取付台部材は、前記管路の外周面に水密状態で溶接されて取り付けられて構成されることを特徴とする請求項１に記載の既設可撓管の外面補強構造。
【請求項３】
前記取付台部材は内周面に、前記管路の外周面との間に空隙部を形成する突出部材を備えるとともに、連結される分割接合面には、面取り部を備えており、これら空隙部および面取り部に接着剤を注入して取り付けられて構成されることを特徴とする請求項１に記載の既設可撓管の外面補強構造。
【請求項４】
前記取付台部材には、可撓性の止水部材が押え部材を介してボルト・ナットで取り付けられるとともに、ボルト頭部に、止水部材の変形による損傷を防止する保護部材を取り付けて構成したことを特徴とする請求項１〜３のいずれかに記載の既設可撓管の外面補強構造。
【請求項５】
前記押え部材には、それぞれの管軸方向外側に、止水部材の変形を規制する規制板部材が設けられて構成されることを特徴とする請求項１〜４のいずれかに記載の既設可撓管の外面補強構造。
【請求項６】
前記外筒部材は円周方向および軸方向で分割されて連結可能とされ、軸方向の分割面には、位置決め連結板が当てられて位置決め連結されて構成されることを特徴とする請求項１〜５のいずれかに記載の既設可撓管の外面補強構造。
【請求項７】
前記止水部材は、局部伸びの発生を防止する補強繊維で補強されて構成されることを特徴とする請求項１〜６のいずれかに記載の既設可撓管の外面補強構造。
【請求項８】
前記取付台部材は、変位後の既設可撓管に対しては相対向するそれぞれの取付台部材の外周面が変位前の管軸方向と平行で当該既設可撓管の中心と偏心させて配置可能に構成されることを特徴とする請求項１〜７のいずれかに記載の既設可撓管の外面補強構造。
【発明の詳細な説明】
【技術分野】
【０００１】
この発明は既設可撓管の外面補強構造に関し、水管橋及び管廊内等に設けられる可撓管を、断水を伴う交換するのに換えて、外面から補強しそのまま継続使用ができるようにするものである。
【背景技術】
【０００２】
水道管や各種送水管などが、河川、道路や鉄道などを橋梁形式で交差する部分には、いわゆる水管橋及び管廊内等が設けられており、これら水管橋及び管廊内等には、温度変化や地震などによる変位の吸収のため、管路の途中に可撓管が設けられている。
このような可撓管は老朽化や変位量が許容値を超えた場合には、交換する必要がある。しかし、供用中の管路の可撓管を交換しようとすると、工事期間中、断水状態にする必要があるなどの都合から交換を避け、補強などを行いそのまま継続使用している場合がある。
一方、既設の可撓管が破損すると、一気に漏水し、断水状態となることから既設の可撓管を補強することが行われており、その方法が種々提案されている。
【０００３】
例えば、水管橋では、図７に示すように、河川などの両岸に橋台Ａを設け、橋台Ａに設けた支承ＢにリングサポートＣを介して管路Ｄを固定することで構成されており、管路Ｄの途中に可撓管１が設けられている。
このような既設の可撓管１を交換することなく補強する方法として、例えば特許文献1には、可撓管1の外周部を、ゴム製の伸縮カバー２と保護カバー３とで覆った伸縮管用漏水防止装置４が開示されている。
この伸縮管用漏水防止装置４では、伸縮カバー２で可撓管１を構成する伸縮管の外周をその全周、全長に亘って覆うようにし、軸方向両端部を、それぞれ可撓管１を挟んだ両側の管路Ｄに固定具５，５を固定しておき、この固定具５を介して固定バンド６で伸縮カバー２を締め付けることで水密に固定している。そして、固定具５，５間に離反防止手段として接続金具７，７が取り付けられ、アラミド繊維からなるロープ８を幾分たるんだ状態で連結しておく。さらに、伸縮カバー２を覆うように筒状の保護カバー３が設けられ、伸縮カバー２が内部からの水圧により外側に膨らむことを拘束することで補強し、破損を防止するようにし、管路Ｄ，Ｄ同士が互いに離反することを拘束して落橋を防止する効果も期待している。
【先行技術文献】
【特許文献】
【０００４】
【特許文献１】特開２００８−２３２３４８号公報
【発明の概要】
【発明が解決しようとする課題】
【０００５】
ところが、このような伸縮管用漏水防止装置４では、可撓管１の外側を覆って水密状態にする伸縮カバー２のさらに外側に保護カバー３を設けて伸縮カバー２が水圧で外側に膨らむことを拘束し、破損を防止するようにしているが、可撓管１の外側を伸縮カバー２及び保護カバー３で覆う必要があり、施工のために広い空間が必要であり、水管橋などの足場の狭い空間で作業することが困難になるという問題がある。
また、伸縮カバー２で水密状態にするためには、可撓管１の外周をその全周、全長に亘って覆うことができる大きな伸縮カバー２を用意しなければならず、しかも可撓管１が万一破損すると、伸縮カバー２自体に大きな水圧が加わるため、この水圧に耐える伸縮カバーを用意しなければならないという問題がある。
【０００６】
この発明は、上記従来技術の問題点に鑑みてなされたもので、万一の場合に加わる水圧を止水部材自体で支持する必要がなく、既設の可撓管をコンパクトかつ短時間に補強することでそのまま継続使用することができる既設可撓管の外面補強構造を提供しようとするものである。
【課題を解決するための手段】
【０００７】
上記従来技術の課題を解決するこの発明の請求項１に記載の既設可撓管の外面補強構造は、管路中に接続された可撓管を外面から補強し当該可撓管に損傷が生じても接続状態を維持可能とする既設可撓管の外面補強構造であって、
前記可撓管を挟む管路の外周に相対向させて水密状態で固定され止水部材が取り付けられる環状の取付台部材と、
これら相対向する取付台部材に跨いで取り付けられて前記可撓管の外周を覆う環状の可撓性の止水部材と、
この止水部材を押える押え部材と、
前記止水部材を覆って外周側に設けられ当該止水部材の伸びを許容する隙間を確保するとともに伸び変形後に加わる圧力を支持可能な環状の外筒部材とを備え、
各環状の部材は既設の管路外周に分割設置可能に構成され連結一体化されてなることを特徴とするものである。
【０００８】
この発明の請求項２に記載の既設可撓管の外面補強構造は、請求項１に記載の構成に加え、前記取付台部材は、前記管路の外周面に水密状態で溶接されて取り付けられて構成されることを特徴とするものである。
【０００９】
この発明の請求項３に記載の既設可撓管の外面補強構造は、請求項１に記載の構成に加え、前記取付台部材は内周面に、前記管路の外周面との間に空隙部を形成する突出部材を備えるとともに、連結される分割接合面には、面取り部を備えており、これら空隙部および面取り部に接着剤を注入して取り付けられて構成されることを特徴とするものである。
【００１０】
この発明の請求項４に記載の既設可撓管の外面補強構造は、請求項１〜３のいずれかに記載の構成に加え、前記取付台部材には、可撓性の止水部材が押え部材を介してボルト・ナットで取り付けられるとともに、ボルト頭部に、止水部材の変形による損傷を防止する保護部材を取り付けて構成したことを特徴とするものである。
【００１１】
この発明の請求項５記載の既設可撓管の外面補強構造は、請求項１〜４のいずれかに記載の構成に加え、前記押え部材には、それぞれの管軸方向外側に、止水部材の変形を規制する規制板部材が設けられて構成されることを特徴とするものである。
【００１２】
この発明の請求項６に記載の既設可撓管の外面補強構造は、請求項１〜５のいずれかに記載の構成に加え、前記外筒部材は円周方向および軸方向で分割されて連結可能とされ、軸方向の分割面には、位置決め連結板が当てられて位置決め連結されて構成されることを特徴とするものである。
【００１３】
この発明の請求項７に記載の既設可撓管の外面補強構造は、請求項１〜６のいずれかに記載の構成に加え、前記止水部材は、局部伸びの発生を防止する補強繊維で補強されて構成されることを特徴とするものである。
【００１４】
この発明の請求項８に記載の既設可撓管の外面補強構造は、請求項１〜７のいずれかに記載の構成に加え、前記取付台部材は、変位後の既設可撓管に対しては相対向するそれぞれの取付台部材の外周面が変位前の管軸方向と平行で当該既設可撓管の中心と偏心させて配置可能に構成されることを特徴とするものである。
【発明の効果】
【００１５】
この発明の請求項１に記載の既設可撓管の外面補強構造によれば、管路中に接続された可撓管を外面から補強し当該可撓管に損傷が生じても接続状態を維持可能とする既設可撓管の外面補強構造であって、前記可撓管を挟む管路の外周に相対向させて水密状態で固定され止水部材が取り付けられる環状の取付台部材と、これら相対向する取付台部材に跨いで取り付けられて前記可撓管の外周を覆う環状の可撓性の止水部材と、この止水部材を押える押え部材と、前記止水部材を覆って外周側に設けられ当該止水部材の伸びを許容する隙間を確保するとともに伸び変形後に加わる圧力を支持可能な環状の外筒部材とを備え、各環状の部材は既設の管路外周に分割設置可能に構成され連結一体化されてなるので、分割設置可能な取付台部材を可撓管を挟んで対向して設置し、これら取付台部材の間に可撓性の止水部材を環状に配置して押え部材を介して取り付け、止水部材の伸びを許容する隙間をあけて外筒部材を設けることで、万一、可撓管が破損した場合であっても、取付台部材および止水部材で漏水を防止することができ、しかも止水部材の伸びを外筒部材で規制・支持することで、止水部材に大きな外圧が作用することがなく、外筒部材で止水部材の局部変形を防止して水密状態を維持することができる。
これにより、水管橋などの可撓管を外面から補強してそのまま継続使用することができるとともに、各部材も軽量コンパクトであり、施工も容易かつ短時間に補強することができる。
【００１６】
この発明の請求項２に記載の既設可撓管の外面補強構造によれば、前記取付台部材は、前記管路の外周面に水密状態で溶接されて取り付けられて構成されているので、溶接により取り付けることで、取付強度を確保し、確実に水密状態として通水状態を維持することができる。
【００１７】
この発明の請求項３に記載の既設可撓管の外面補強構造によれば、前記取付台部材は内周面に、前記管路の外周面との間に空隙部を形成する突出部材を備えるとともに、連結される分割接合面には、面取り部を備えており、これら空隙部および面取り部に接着剤を注入して取り付けられて構成されているので、溶接ができない場合であっても、突出部材による管路外周面との空隙部に接着剤を注入するとともに、分割接合面に設けた面取り部によって接着剤の注入できる空間を大きくすることができ、確実に接合強度を確保することができる。
【００１８】
この発明の請求項４に記載の既設可撓管の外面補強構造によれば、前記取付台部材には、可撓性の止水部材が押え部材を介してボルト・ナットで取り付けられるとともに、ボルト頭部に、止水部材の変形による損傷を防止する保護部材を取り付けて構成したので、押え部材を介してボルト・ナットで止水部材を取り付けることで、止水部材を確実に固定することができるとともに、止水部材が変位や伸びなどで変形してボルト頭部に接触するような状態でも、保護部材によって止水部材の損傷を防止することができ、確実に通水状態を維持することができる。
【００１９】
この発明の請求項５記載の既設可撓管の外面補強構造よれば、前記押え部材には、それぞれの管軸方向外側に、止水部材の変形を規制する規制板部材が設けられて構成されているので、止水部材の周方向の変形などを規制板部材で規制することができ、止水部材の損傷を押えて確実に通水状態を維持することができる。
【００２０】
この発明の請求項６に記載の既設可撓管の外面補強構造によれば、前記外筒部材は円周方向および軸方向で分割されて連結可能とされ、軸方向の分割面には、位置決め連結板が当てられて位置決め連結されて構成されているので、軸方向の分割面を位置決め連結板を当てて連結することで、軸方向および周方向にずれることを防止することができ、分割面を溶接したり、接着する場合でも直線上の分割面に対して作業することができ、簡単かつ短時間に連結することができる。
【００２１】
この発明の請求項７に記載の既設可撓管の外面補強構造によれば、前記止水部材は、局部伸びの発生を防止する補強繊維で補強されて構成されているので、止水部材を補強繊維で補強することで、局部伸びを防止することができ、安定した状態で確実に通水状態を維持することができる。
【００２２】
この発明の請求項８に記載の既設可撓管の外面補強構造によれば、前記取付台部材は、変位後の既設可撓管に対しては相対向するそれぞれの取付台部材の外周面が変位前の管軸方向と平行で当該既設可撓管の中心と偏心させて配置可能に構成されているので、既設の可撓管が変位した状態であっても取付台部材を偏心させることで、取付台部材の間の外周面が平行な円筒面となり、外面補強を容易に行うことができる。
【図面の簡単な説明】
【００２３】
【図１】この発明の既設可撓管の外面補強構造の一実施の形態にかかり、（ａ）は一部分の概略縦断面図、（ｂ）はＢ部の拡大断面図である。
【図２】この発明の既設可撓管の外面補強構造の一実施の形態にかかる左半分の横断面図である。
【図３】この発明の既設可撓管の外面補強構造の一実施の形態にかかる分割面と溶接線の関係の説明図である。
【図４】この発明の既設可撓管の外面補強構造の一実施の形態にかかる止水部材の変位後の状態の一部分の概略縦断面図である。
【図５】この発明の既設可撓管の外面補強構造の他の一実施の形態にかかる一部分の概略縦断面図である。
【図６】この発明の既設可撓管の外面補強構造のさらに他の一実施の形態にかかる部分拡大断面図である。
【図７】従来の既設可撓管の外面補強構造にかかり、（ａ）は全体の概略構成図、（ｂ）は部分拡大断面図である。
【発明を実施するための形態】
【００２４】
以下、この発明の既設可撓管の外面補強構造を実施するための形態について図面を参照して詳細に説明する。
この発明が適用される既設の可撓管１は、例えば図１に示すように、金属製の管路Ｄ中に接続されており、管路Ｄ，Ｄへの接続は、フランジ構造によりボルト・ナットで連結するものであったり、溶接構造により溶接して連結するものなどのいずれでも、他の接続構造であっても良い。可撓管１自体は、ゴムなどの弾性体で作られた蛇腹状などの伸縮部１ａにより温度変化や地震などの変位の吸収と止水性が確保されるものである。なお、可撓管としては、これに限らず、図７に示した伸縮管など他の構造であっても良い。
【００２５】
この既設可撓管の外面補強構造１０では、既設の可撓管１に変位が生じた場合などに可撓管１の両側の金属製の管路Ｄ，Ｄを利用して外面補強構造１０の主構造である取付台部材１１などが溶接などで取り付けられ、取付台部材１１などの主構造部分に既設の可撓管１を覆って新たな可撓性の止水部材１５を設けるようにするが、万一、既設の可撓管１が損傷した場合の止水部材１５に加わる水圧などを止水部材１５自体でなく、外筒部材２０で支持可能に構成したところに特徴がある。また、図７で説明した従来構造に比べコンパクトで、狭い空間に設置し施工できるものである。
【００２６】
この既設可撓管の外面補強構造１０は、図１および図２に示すように、可撓管１を挟む管路Ｄ，Ｄの外周に相対向して取付台部材１１、１１が配置され、管路Ｄ，Ｄに対して水密状態で固定される。相対向する１対の取付台部材１１、１１の間を跨ぐように止水部材１５が取り付けられる。
【００２７】
この取付台部材１１は、横断面形状がＬの字状とされてＬの字の水平部分１１ａが軸方向と平行に配置されて環状とされ、止水部材１５が取り付けられる。取付台部材１１のＬの字の垂直部分１１ｂが管軸と直交する平面上に配置されて管路Ｄの外周と溶接され水密状態で固定される。
また、取付台部材１１は、管路Ｄ，Ｄへの取り付けのため円周方向に複数、例えば４分割され、管路Ｄに取り付けた後、現地での溶接によって環状に連結されるようにしてある。
この取付台部材１１には、補強用のリブ１２が円周等間隔に溶接によって取り付けられ、環状に連結する部分では、リブ１２同士を当ててボルト・ナット１３で締め付けるとともに、溶接して環状に連結する。
また、リブ１２の管路Ｄとの溶接部分には、リブ補強板１４が当てられて取付台部材１１を管路Ｄに強固に取り付けることができるようにしてある。
【００２８】
止水部材１５としては、シート状のゴム、合成樹脂などの止水ゴムが用いられ、高水圧下での変形時に局部変形（局部伸び）が生じないように繊維補強がなされており、例えば補強布を２層積層したものが用いられる。そして、この止水部材１５である止水ゴムが相対向する取付台部材１１、１１の間を跨いで既設の可撓管１を覆うように取り付けられ、現地にて加硫接着または接着剤で環状に連結される。
なお、止水部材の材質や補強繊維の材質および補強構造は、上記のものに限定するものでなく、必要な強度などの条件に応じて適宜決定すればよい。
この止水部材１５の取付台部材１１への取り付けは、円周方向に分割された押え部材１６を外周側に当て、ボルト・ナット１７によって締め付けることで取り付けられ、例えば円周方向に３０個に分割された押え部材１６を用い、それぞれの押え部材１６に２本ずつのボルト・ナット１７を用いて取り付けるようにしている。
【００２９】
この押え部材１６と止水部材１５とを締め付けるボルト・ナット１７には、ボルト頭部の高さより高いゴム、合成樹脂などの保護部材としてのスペース部材１８が取り付けてあり、ボルト頭部と接触する止水部材１５や後述する外筒部材の損傷を防止する。
また、押え部材１６には、止水部材１５の両端外側に、止水部材１５やスペース部材１８が外側にはみ出さないように規制する規制板部材としてのせき板１９が押え部材１６に溶接して取り付けてある。
【００３０】
こうして１対の取付台部材１１を跨ぐように取り付けた止水部材１５の外側には、止水部材１５との間に隙間を空けて金属製の外筒部材２０が環状に設けられ、外筒部材２０との隙間で止水部材１５が伸びが許容されるとともに、伸び変形後には、外筒部材２０の内周面と密着することで、加わる圧力を外筒部材２０で支持することができ、止水部材１５自体は伸び強度は必要とするものの大きな耐圧強度を必要としない構造としてある。
【００３１】
この外筒部材２０は、管路Ｄへの取り付けのため円周方向に複数に分割されるとともに、軸方向にも複数に分割してあり、例えば円周方向に４分割され、軸方向に３分割され、現地にてフランジ２０ａ、２０ａをボルト・ナット２１で組み立てた後、溶接される。
外筒部材２０の円周方向の分割面には、図３（ａ）に示すように、溶接線Ｘに対して作業に必要な空間を確保して連結用のフランジ２０ａが形成され、同図（ｂ）に示すように、２つのフランジ２０ａ，２０ａの間に位置決め固定パイプ２２を挟んで締め付けるようにする。また、軸方向の分割面には、同図（ｃ）に示すように、３つに分割された連結用のフランジ２０ａの間の溶接線Ｙが一直線上になるように、軸方向の３つのフランジ２０ａの位置を規制する位置決め連結板として位置決め固定板２３が当てられ、位置決め固定パイプ２２とともに締め付ける。
これにより、位置決め固定パイプ２２と位置決め連結板としての位置決め固定板２３によって円周方向の溶接線Ｘ及び軸方向の溶接線Ｙが一直線上に位置決めされることになり、分割面であるフランジ２０ａ、２０ａの間の空間を利用して簡単に溶接作業を行うことができる。
【００３２】
このように構成した既設可撓管の外面補強構造１０によれば、分割設置可能な取付台部材１１を可撓管１を挟んで対向して管路Ｄ，Ｄに溶接で固定設置し、これら取付台部材１１，１１の間に可撓性の止水部材１５を環状に配置して押え部材１６を介して取り付け、止水部材１５の伸びを許容する隙間をあけて外筒部材２０を設けてあるので、万一、可撓管１が破損した場合であっても、取付台部材１１および止水部材１５で漏水を防止することができる。
この既設の可撓管１が破損した場合には、止水部材１５の内側に大きな圧力が作用して止水部材１５が変形し、外筒部材２０に接するまで伸ばされることになるが、外筒部材２０に接するまでの伸びは、設計時に許容されている伸び変形であり、この変形後には、止水部材１５が外筒部材２０の内周面に密着することで、その後の加圧力が止水部材１５を介して外筒部材２０で規制・支持されることになる。
これにより、止水部材１５の伸びを外筒部材２０で規制・支持することで、止水部材１５に大きな内圧が作用することがなく、外筒部材２０で止水部材１５の局部変形を防止して水密状態を維持することができる。
したがって、水管橋などの可撓管１を外面から補強してそのまま継続使用することができるとともに、各部材も分割構造とされて軽量コンパクトであり、分割構造の部材の組み立てや溶接などの施工も容易かつ短時間に行って補強することができる。
【００３３】
また、この既設可撓管の外面補強構造１０によれば、取付台部材１１は、管路Ｄの外周面に水密状態で溶接によって取り付けてあるので、取付強度を確保し、確実に水密状態として通水状態を維持することができる。
【００３４】
さらに、この既設可撓管の外面補強構造１０によれば、取付台部材１１には、可撓性の止水部材１５が押え部材１６を介してボルト・ナット１７で取り付けられるとともに、ボルト頭部に、止水部材１５の変形による損傷を防止する保護部材であるスペース部材１８を取り付けてあるので、止水部材１５を確実に固定することができるとともに、止水部材１５が変位や伸びなどで変形してボルト頭部に接触するような状態でも、保護部材であるスペース部材１８によって止水部材１５の損傷を防止することができ、確実に通水状態を維持することができる。
【００３５】
また、この既設可撓管の外面補強構造１０よれば、押え部材１６には、それぞれの管軸方向外側に、止水部材１５の変形を規制する規制板部材としてせき板１９が設けてあるので、止水部材１５の周方向の変形などを規制板部材であるせき板１９で規制することができ、止水部材１５の損傷を押えて確実に通水状態を維持することができる。
【００３６】
さらに、この既設可撓管の外面補強構造１０によれば、外筒部材２０は円周方向および軸方向で分割されて連結可能とされ、軸方向の分割面には、位置決め連結板である位置決め固定板２３が当てられて位置決め連結されるので、軸方向の分割面がずれることを防止することができ、分割面を溶接したり、接着する場合でも直線上の分割面に対して作業することができ、簡単かつ短時間に連結することができる。
【００３７】
また、この既設可撓管の外面補強構造１０によれば、止水部材１５は、局部伸びの発生を防止する補強繊維で補強されているので、止水部材１５の局部伸びを防止することができ、安定した状態で確実に通水状態を維持することができる。
【００３８】
次に、この発明の既設可撓管の外面補強構造の実施をするための他の形態について、図５により説明するが、既に説明した上記の実施の形態と同一部分には同一記号を記し、重複する説明は省略する。
この既設可撓管の外面補強構造１０Ａでは、既設の可撓管１が変位した場合には、可撓管１の両端の管路Ｄ，Ｄに対し、相対向する取付台部材１１、１１Ａを同心状態で配置するのではなく、図５に示すように、止水部材１５および外筒部材２０を水平方向に沿って平行に配置できるようにしており、図示例では、右側の取付台部材１１Ａを偏心状態で取り付けるようにしている。
なお、既設の可撓管１の変形状態によっては、一方の取付台部材１１Ａだけでなく、両方の取付台部材１１、１１を管路Ｄ、Ｄの中心と偏心させて設置するようにする。
このためには、施工前に寸法計測などを行い、これに基づき取付台部材１１ＡのＬの字状の垂直部分１１ｂの長さが偏心量に応じて異なるものを用意することで、対応することができる。
この取付台部材１１Ａ以外の構成は、既に説明した実施の形態と同一である。
【００３９】
このような既設可撓管の外面補強構造１０Ａによれば、変位後の既設可撓管１に対して相対向する一方の取付台部材１１Ａの外周面が変位前の管軸方向（水平方向）と平行で既設可撓管１および管路Ｄの中心と偏心させて配置してあるので、既設の可撓管１が変位した状態であっても取付台部材１１と偏心させた取付台部材１１Ａとによって取付台部材１１，１１Ａの間の外周面が水平な中心軸を有する円筒面となり、傾斜した状態とならず外面補強を容易に行うことができる。
【００４０】
次に、この発明の既設可撓管の外面補強構造の実施をするためのさらに他の形態について、図６により説明するが、既に説明した上記の実施の形態と同一部分には同一記号を記し、重複する説明は省略する。
この既設可撓管の外面補強構造１０Ｂでは、管路Ｄへの取付台部材１１Ｂを溶接構造とせずに接着剤で接着固定するようにしている。
このため取付台部材１１Ｂは、横断面形状がＨ型鋼状とされ、水平方向の一方のフランジ（水平部分）１１ａを止水部材１５の取付部分とし、ウエブ（垂直部分）１１ｂを垂直方向に配置し、もう一方のフランジ（水平部分）１１ｃを管路Ｄへの接着面とする。管路Ｄへの接着面となるフランジ（水平部分）１１ｃの表面には、多数の突出部材として突起１１ｄが設けられて管路Ｄとの間に接着剤の充填用の空隙部が確保できるようにしてある。
また、取付台部材１１Ｂの円周方向の分割面には、ウエブ（垂直部分）１１ｂの両側に補強用のリブ１２，１２が溶接で取り付けられ、円周方向の連結にはリブ１２，１２同士を当ててボルト・ナット１３で連結するとともに、分割接合面には、６Ｃ面取りがなされ、２つのフランジ（水平部分）１１ａ、１１ｃおよびウエブ(垂直部分)１１ｂの全ての角部が面取りされて面取り部に接着剤が充填されて接着するようにしている。
なお、接着剤としては、例えばエポキシ樹脂接着剤を用いる。
【００４１】
このような既設可撓管の外面補強構造１０Ｂによれば、取付台部材１１Ｂはフランジ（水平部分）１１ｃの内周面に、管路Ｄの外周面との間に空隙部を形成する突出部材として突起１１ｄを設けるとともに、連結される分割接合面には、面取り部を設けてあるので、これら空隙部および面取り部に接着剤を注入して接着・固定することができ、溶接ができない場合であっても、接着剤の注入できる空間を大きくすることができ、確実に接合強度を確保することができる。
したがって、水管橋などの可撓管１を外面から補強してそのまま継続使用することができるとともに、各部材も分割構造とされて軽量コンパクトであり、分割構造の部材の組み立てや接着などの施工も容易かつ短時間に行って補強することができる。
【符号の説明】
【００４２】
１０        既設可撓管の外面補強構造
１０Ａ      既設可撓管の外面補強構造
１０Ｂ      既設可撓管の外面補強構造
１１        取付台部材
１１ａ      水平部分
１１ｂ      垂直部分
１１Ａ      取付台部材
１１Ｂ      取付台部材
１１ｃ      水平部分
１１ｄ      突起（突出部材）
１２        補強用のリブ
１３        ボルト・ナット
１４        リブ補強板
１５        止水部材
１６        押え部材
１７        ボルト・ナット
１８        スペース部材（保護部材）
１９        せき板（規制板部材）
２０        外筒部材
２０ａ      フランジ
２１        ボルト・ナット
２２        位置決め固定パイプ
２３        位置決め固定板（位置決め連結板）
Ｘ          円周方向の溶接線
Ｙ          軸方向の溶接線
Ｃ          リングサポート
Ｄ          管路
１          可撓管
１ａ        伸縮部
【図１】
2014228071.tif 000003
【図２】
2014228071.tif 000004
【図３】
2014228071.tif 000005
【図４】
2014228071.tif 000006
【図５】
2014228071.tif 000007
【図６】
2014228071.tif 000008
【図７】
2014228071.tif 000009